(57)【特許請求の範囲】
【請求項１】
自動変速機の内部に配設され、前記自動変速機におけるプラネタリギヤの入力軸の軸方向の移動を規制してなるワッシャを有し、前記ワッシャに対して潤滑油を供給する自動変速機の潤滑油供給装置において、
前記ワッシャには、径方向に延びる溝を形成してなり、前記自動変速機の入力軸の径方向に遠心力で飛ばされる潤滑油を受ける油受部と、前記油受部で受け取った潤滑油を前記ワッシャの前記軸方向の端面のスラスト面に導く案内路を有し、前記ワッシャの前記軸方向のスラスト面に導く案内路には、前記径方向に延びる面に段差を設け、当該段差をオーバーフローした潤滑油のみが、前記ワッシャの前記軸方向のスラスト面に導かれることを特徴とする自動変速機の潤滑油供給装置。
【請求項２】
自動変速機の内部に配設したクラッチプレート及びクラッチディスクを有するクラッチに対して潤滑油を供給する自動変速機の潤滑油供給装置において、
前記自動変速機の入力軸の軸方向に配設したプラネタリギヤのピニオンシャフトの両端を取付ける略環状のキャリヤカバーに対して、前記入力軸の径方向に形成した潤滑油を受ける油受部及び前記油受部で受け取った潤滑油を前記軸方向の端面のスラスト面に導く案内路を有し、前記自動変速機における入力軸の軸方向の移動を規制するワッシャとを具備し、
前記入力軸の周囲に配設したクラッチドラムの潤滑油孔から供給される潤滑油を、キャンセルプレートの潤滑油溝から前記油受部に対して、その途中の介在物を介すことなく直接供給することを特徴とする自動変速機の潤滑油供給装置。
【請求項３】
前記ワッシャの前記油受部は、前記油受部の反対側で前記クラッチのクラッチハブと係合することを特徴とする請求項１または請求項２に記載の自動変速機の潤滑油供給装置。
【請求項４】
自動変速機の内部に配設したクラッチプレート及びクラッチディスクを有するクラッチに対して潤滑油を供給する自動変速機の潤滑油供給装置において、
前記自動変速機の入力軸の軸方向に配設したプラネタリギヤのピニオンシャフトの両端を取付けるキャリヤ及びキャリヤカバーと、
前記キャリヤカバーの前記入力軸の径方向に形成した壁部及び前記ピニオンシャフトの前記軸方向に延びた前記キャリヤカバーの基部及び前記基部に連結したクラッチハブの内周面の端部によって構成される前記入力軸の軸方向に、かつ、周方向に開口する油受部と、
前記クラッチハブの内周面に形成した前記油受部の前記潤滑油をクラッチ方向に供給する切り欠きと
を具備することを特徴とする自動変速機の潤滑油供給装置。
【請求項５】
自動変速機の内部に配設したクラッチプレート及びクラッチディスクを有するクラッチに対して潤滑油を供給する自動変速機の潤滑油供給装置において、
前記自動変速機の入力軸の軸方向に配設したプラネタリギヤのピニオンシャフトの両端を取付けるキャリヤ及び略環状のキャリヤカバーと、
前記キャリヤカバーの前記入力軸の径方向に形成した壁部及び前記ピニオンシャフトの前記軸方向に延びた前記キャリヤカバーの基部及び前記基部に連結したクラッチハブの内周面の端部によって構成される前記入力軸の軸方向に、かつ、周方向に開口する油受部と、
前記クラッチハブの内周面に形成した前記油受部の前記潤滑油をクラッチ方向に供給する切り欠きとを具備し、
前記入力軸の周囲に配設したクラッチドラムの潤滑油孔から供給される潤滑油を、キャンセルプレートの潤滑油溝から前記油受部に対して、その途中の介在物を介すことなく供給することを特徴とする自動変速機の潤滑油供給装置。
【請求項６】
前記クラッチハブの内周面に形成した切り欠きは、前記入力軸を中心とする径方向に大きくなると、その周方向の幅が狭くなる形状としたことを特徴とする請求項４または請求項５に記載の自動変速機の潤滑油供給装置。
【請求項７】
前記クラッチハブと前記クラッチを制御するキャンセルプレートとの間には、前記入力軸を中心とする前記切り欠き位置より大きい外径方向の位置で、前記クラッチハブの軸方向の移動を規制し、かつ、前記径方向に延びる溝を形成したワッシャを配設したことを特徴とする請求項４乃至請求項６の何れか１つに記載の自動変速機の潤滑油供給装置。
【請求項８】
前記ワッシャに設けられた前記入力軸を中心とする径方向に延びる溝は、前記クラッチハブの前記切り欠きと円周方向の位相をずらせて配設したことを特徴とする請求項７に記載の自動変速機の潤滑油供給装置。
【請求項９】
前記クラッチの前記キャンセルプレートは、前記キャンセルプレートの支持壁部の一方側に前記ワッシャが配設され、他方側にリターンスプリングを配設したことを特徴とする請求項４乃至請求項８の何れか１つに記載の自動変速機の潤滑油供給装置。
【請求項１０】
前記油受部に供給された潤滑油は、前記自動変速機を構成する前記ピニオンシャフトに軸支されているピニオン及び前記ピニオンシャフトと前記ピニオンとの間のニードルベアリングに、前記ピニオンシャフトの潤滑油孔を介して供給し、また、前記クラッチハブの内周面の端部に形成した前記切り欠きを介して前記クラッチに供給することを特徴とする請求項４乃至請求項９の何れか１つに記載の自動変速機の潤滑油供給装置。
【請求項１１】
前記油受部は、前記キャリヤカバーの壁部よりも前記クラッチハブの内周面の端部を低くしたことを特徴とする請求項４乃至請求項１０の何れか１つに記載の自動変速機の潤滑油供給装置。
【請求項１２】
前記ワッシャは、円環状とし、前記略円環状のワッシャ周囲のスラスト面側で、かつ、前記油受部の相互間の位置に、前記円環状のワッシャに径方向に延びる溝を形成したことを特徴とする請求項１乃至請求項３の何れか１つに記載の自動変速機の潤滑油供給装置。
【発明の詳細な説明】
【技術分野】
【０００１】
本発明は、自動変速機を構成するプラネタリギヤ及びクラッチヘの潤滑油機構を備えた自動変速機の潤滑油供給装置に関し、特に、そのプラネタリギヤ及びクラッチに対し内周側から潤滑油を供給する自動変速機の潤滑油供給装置に関するものである。
【背景技術】
【０００２】
従来の自動変速機の潤滑油供給装置としては、特許文献１で公知である。
特許文献１には、入力軸（１２）（なお、ここで（ ）内の数字は特許文献１に記載の図面の構成部品を示すものである）の回転による遠心力で、潤滑油の一部が入力軸（１２）に形成された油孔（１２ａ）から、第１サンギヤ（２２）の油孔（２２ａ）に供給さ、第１サンギヤ（２２）の回転により支持壁（４４）に形成された内側径方向穴（５０）へ供給され、次いで、ピニオンシャフト（３２）、ピニオンシャフト（６８）の径方向穴（５２）から軸方向穴（５４）へ供給され、そして、ピニオンシャフト（３２）、ピニオンシャフト（６８）の軸方向穴（５４）から導入された潤滑油は、そのピニオンシャフト（３２）、ピニオンシャフト（６８）に形成されたピニオンシャフト（３２）、ピニオンシャフト（６８）の外周面に導かれる。また、支持壁（４４）とリングギヤフランジ（８８）との間からも潤滑油供給孔（８６）に潤滑油が供給される。
【０００３】
このような構成によれば、潤滑油供給孔（８６）に供給された潤滑油は、拡径部（８６ａ）の形状に沿って広がりつつ外周側に供給されるので、クラッチピストン（８４）側の内向摩擦板（８２）やクラッチピストン（８４）から離隔した内向摩擦板（８２）にも潤滑油が供給されるものである。
【特許文献１】特開２００６−２５０２５３
【発明の開示】
【発明が解決しようとする課題】
【０００４】
ところが、特許文献１の技術は、潤滑油供給孔（８６）を第１サンギヤ（２２）の外周面に開口する拡径部（８６ａ）と、その拡径部（８６ａ）と第１サンギヤ（２２）の内周面とを連通し、拡径部（８６ａ）よりも小径の径方向穴（５２）とから構成し、第１サンギヤ（２２）の外周側の広い範囲に潤滑油が供給され、また、潤滑油供給孔（８６）は拡径部（８６ａ）以外は、それよりも小径とされていることから、自動変速機をコンパクト化しようとした場合、クラッチハブの内径側に、当該クラッチのキャンセル油室や当該クラッチのピストンを押し戻すリターンスプリング等を配置した場合、クラッチヘの潤滑油を供給する潤滑油供給経路を確保することは困難である。
【０００５】
そこで、この発明はかかる不具合を解決するためになされたもので、自動変速機のコンパクト化を容易にし、クラッチ等の機構部分ヘの潤滑油の供給経路を潤滑油供給孔の穿設に頼ることなく給油自在な自動変速機の潤滑油供給装置の提供を目的とするものである。
【課題を解決するための手段】
【０００６】
請求項１にかかる自動変速機の潤滑油供給装置は、自動変速機の内部に配設され、前記自動変速機における入力軸の軸長方向の移動を規制してなるワッシャに対して潤滑油を供給する自動変速機の潤滑油供給装置において、前記ワッシャが、前記自動変速機の入力軸の径方向から遠心力で飛ばされる潤滑油を受ける油受部と、前記油受部で受け取った潤滑油を前記ワッシャの前記軸方向の端面のスラスト面に導く案内路とを具備するものである。
ここで、上記ワッシャとは、環状または略環状を呈し、自動変速機の内部に配設され、前記自動変速機における特定の機構が入力軸の軸長方向に移動するのを規制するものであり、その接触側のスラスト面には潤滑油が供給されるものである。
また、上記油受部は、自動変速機の入力軸の径方向に遠心力で飛ばされる潤滑油を受けるものであり、案内路側を除き遠心力で飛ばされる潤滑油を受ける収容部分を形成するものである。そして、上記案内路は、油受部で受け取った潤滑油を前記ワッシャの前記軸方向の端面のスラスト面に導くものである。
【０００７】
また、前記ワッシャには、前記径方向に延びる溝を形成してなるものである。
ここで、前記ワッシャの前記径方向に延びる溝とは、前記ワッシャで潤滑油の流れを遮断することなく、外周部位置にあるクラッチ等の機構部分に潤滑油を送るものである。
【０００８】
そして、前記ワッシャの前記軸方向の端面に導く案内路には、前記径方向に延びる面に段差を設け、当該段差をオーバーフローした潤滑油のみが、前記ワッシャの前記軸方向端面のスラスト面に導かれるものである。
ここで、前記径方向に延びる面に段差をオーバーフローした潤滑油のみが、前記ワッシャの前記軸方向端面のスラスト面に導かれるとは、前記段差をオーバーフローするまでは、潤滑油の一部を除き、前記ワッシャの前記軸方向のスラスト面に潤滑油を導かないことであり、このときには、他の機構部分に潤滑油を供給するものである。
【０００９】
請求項２にかかる自動変速機の潤滑油供給装置は、内部に配設したクラッチプレート及びクラッチディスクを有するクラッチに対して潤滑油を供給する自動変速機の入力軸の軸長方向に配設したプラネタリギヤのピニオンシャフトを取付ける略環状のキャリヤカバーの前記入力軸の径方向に形成した潤滑油を受ける油受部、及び前記油受けで受け取った潤滑油を前記軸方向の端面のスラスト面に導く案内路を有し、前記自動変速機における入力軸の軸長方向の移動を規制するワッシャを具備し、前記入力軸の周囲に配設したクラッチドラムの潤滑油孔から供給される潤滑油を、キャンセルプレートの潤滑油溝から前記油受部に対して、その途中の介在物を介すことなく供給するものである。
ここで、上記給油対象のクラッチは、自動変速機の内部に配設された１枚以上のクラッチプレート及びクラッチディスクからなるものであればよい。また、上記ピニオンシャフトとは、複数段の自動変速機の場合には、何れのプラネタリギヤのピニオンシャフトであっても適用できる。そして、上記ピニオンシャフトの径方向に延びたキャリヤカバーの壁部及び前記ピニオンシャフトの軸方向に延びた基部とは、キャリヤカバーの内周側の断面形状が略Ｌ字形状、略半Ｕ字形状（略Ｊ字形状）になればよい。
更に、上記ワッシャは、前記キャリヤカバーの前記入力軸の径方向に形成した潤滑油を受ける油受部と、前記油受けで受け取った潤滑油を前記軸方向の端面のスラスト面に導く案内路とを有し、前記自動変速機における入力軸の軸長方向の移動を規制するものである。
また、上記油受部は、自動変速機の入力軸の径方向に遠心力で飛ばされる潤滑油を受けるものであり、案内路側を除き遠心力で飛ばされる潤滑油を受ける収容部を形成するものであればよい。そして、上記案内路は、油受部で受け取った潤滑油を前記ワッシャの前記軸方向のスラスト面に導くものであればよい。
加えて、前記入力軸の周囲に配設したクラッチドラムの潤滑油孔から供給される潤滑油を、前記キャンセルプレートの潤滑油溝から前記油受部に対して、その途中の介在物を介すことなく供給するものであり、途中の介在物のないこととは、目詰まりを発生する等の部品の存在がないことを示すものである。
【００１０】
請求項３にかかる自動変速機の潤滑油供給装置の前記ワッシャの前記油受部は、前記油受部の反対側で前記クラッチのクラッチハブと係合するものである。
ここで、前記ワッシャの前記油受部の反対側で前記クラッチハブと係合するとは、前記油受部の反対側で前記クラッチハブの切り欠きまたは外周と係合し、容易に外れない状態を維持できればよい。
【００１１】
請求項４にかかる自動変速機の内部に配設したクラッチに対する潤滑油を供給する自動変速機の潤滑油供給装置は、自動変速機を構成するピニオンシャフトの両端を取付けるキャリヤ及びキャリヤカバーを有し、前記キャリヤカバーの壁部及び前記ピニオンシャフトの軸方向に延びた前記キャリヤカバーの基部及び前記基部に連結したクラッチハブの一部の内周面の端部によって、前記自動変速機の前記入力軸の軸長方向に、かつ、周方向に開口する油受部を形成したものである。そして、前記クラッチハブの内周面に前記油受部の前記潤滑油をクラッチ方向に供給する切り欠きを配設したものである。
ここで、上記給油対象のクラッチは、自動変速機の内部に配設された１枚以上のクラッチプレート及びクラッチディスクからなるものであればよい。また、上記ピニオンシャフトとは、複数段の自動変速機の場合には、何れのプラネタリギヤのピニオンシャフトであっても適用できる。そして、上記ピニオンシャフトの径方向に延びたキャリヤカバーの壁部及び前記ピニオンシャフトの軸方向に延びた基部とは、キャリヤカバーの内周側の断面形状が略Ｌ字形状、略半Ｕ字形状（略Ｊ字形状）になればよい。上記ピニオンシャフトの軸方向に延びた基部に連結したクラッチハブの一部の内周面の端部とは、クラッチハブの内周面側の一部を意味する。このクラッチハブの内周面側には、所定の切り欠きを設けてそこから集中的に潤滑油を供給できればよい。特に、所定の切り欠きを設けて、そこから潤滑油を供給する構造では、前記切り欠きから供給する潤滑油の供給量がまとまり、遠心力の影響を受け易くなるから、安定した潤滑油の供給が行われる。
更に、上記入力軸の軸長方向に開口する周方向の油受部とは、前記キャリヤカバーの壁部及び前記ピニオンシャフトの軸方向に延びた前記キャリヤカバーの基部及び前記基部に連結したクラッチハブの一部の内周面によって形成された油受部が、前記入力軸の軸長方向に開口する周方向の溝であることを特定するもので、油受部の深さは、キャリヤカバーの壁部及びクラッチハブの一部の内周面の端部によって決定され、その幅は前記ピニオンシャフトの軸方向に延びた基部によって決定される。また、前記クラッチハブの内周面には、前記潤滑油をクラッチ方向に供給する切り欠きを設けたものであるから、切り欠きの形状から供給する潤滑油の量が決定され、かつ、その遠心力の影響を受けやすくなるから、前記切り欠き形状によって潤滑油の供給特性を異にすることができる。
【００１２】
請求項５にかかる自動変速機の内部に配設したクラッチに対する潤滑油を供給する自動変速機の潤滑油供給装置は、前記自動変速機を構成するピニオンシャフトの両端を取付けるキャリヤ及び略環状のキャリヤカバーを有し、前記キャリヤカバーの壁部及び前記ピニオンシャフトの軸方向に延びた前記キャリヤカバーの基部及び前記基部に連結したクラッチハブの一部の内周面の端部によって、自動変速機の入力軸の軸長方向に、かつ、周方向に開口する油受部を形成したものである。そして、前記クラッチハブの内周面に前記油受部の前記潤滑油をクラッチ方向に供給する切り欠きを配設したものである。
ここで、上記給油対象のクラッチは、自動変速機の内部に配設された１枚以上のクラッチプレート及びクラッチディスクからなるものであればよい。また、上記ピニオンシャフトとは、複数段の自動変速機の場合には、何れのプラネタリギヤのピニオンシャフトであっても適用できる。そして、上記ピニオンシャフトの径方向に延びたキャリヤカバーの壁部及び前記ピニオンシャフトの軸方向に延びた基部とは、キャリヤカバーの内周側の断面形状が略Ｌ字形状、略半Ｕ字形状（略Ｊ字形状）になればよい。上記ピニオンシャフトの軸方向に延びた基部に連結したクラッチハブの一部の内周面の端部とは、クラッチハブの内周面側の一部を意味する。このクラッチハブの内周面側には、所定の切り欠きを設けてそこから集中的に潤滑油を供給できればよい。特に、所定の切り欠きを設けて、そこから潤滑油を供給する構造では、切り欠きから供給する潤滑油の供給量が纏り、遠心力の影響を受け易くなるから、安定した潤滑油の供給が行われる。
更に、上記入力軸の軸長方向に開口する周方向の油受部とは、前記キャリヤカバーの壁部及び前記ピニオンシャフトの軸方向に延びた前記キャリヤカバーの基部及び前記基部に連結したクラッチハブの一部の内周面によって形成された油受部が、前記入力軸の軸長方向に開口する周方向の溝であることを特定するもので、油受部の深さは、キャリヤカバーの壁部及びクラッチハブの一部の内周面の端部によって決定され、その幅は前記ピニオンシャフトの軸方向に延びた基部によって決定される。また、前記クラッチハブの内周面には、前記潤滑油をクラッチ方向に供給する切り欠きを設けたものであるから、切り欠きの形状から供給する潤滑油の量が決定され、かつ、その遠心力の影響を受けやすくなるから、前記切り欠きの形状によって潤滑油の供給特性が特定できる。
そして、前記入力軸の周囲に配設したドラム部材の潤滑油孔から供給される潤滑油を、前記キャンセルプレートの潤滑油溝から前記油受部に対して、その途中の介在物を介すことなく供給するものであり、途中の介在物のないこととは、目詰まりを発生する等の部品の存在がないことを示すものである。
【００１３】
請求項６にかかる自動変速機の潤滑油供給装置の前記クラッチハブの内周側に形成した切り欠きは、入力軸を中心とする半径が大きくなると小さくなる形状としたものである。
ここで、入力軸を中心とする径方向が大きくなるとその周方向の幅が狭くなる形状は、切り欠きから供給する潤滑油の量を多く変動させることにより、平衡点が発生するから、油受部の潤滑油の深さを一定にすることができる。具体的には、例えば、入力軸を中心とする側の長さを広くした三角形、台形、半円等とすることができる。このとき、通常、ピニオンシャフト側にも潤滑油を供給することから、そのバランスを特定の値に設定することができる。
【００１４】
請求項７にかかる自動変速機の潤滑油供給装置の前記クラッチハブと前記クラッチを制御するキャンセルプレートとの間には、入力軸を中心とする前記切り欠き位置より大きい外径方向の位置で、前記クラッチハブの軸方向の移動を規制し、かつ、前記径方向に延びる溝を形成したワッシャを配設している。
ここで、前記ワッシャは、前記クラッチハブの軸方向の移動があっても、潤滑油の流れをスムーズにするために、中心軸の径方向に延びる溝を形成したものである。また、前記ワッシャは、前記クラッチハブの軸方向の移動を規制するものであるものの、大きな外力が加わらないので合成樹脂としている。しかし、合成樹脂以外のものの使用を否定するものではない。
【００１５】
請求項８にかかる自動変速機の潤滑油供給装置の前記ワッシャに設けられた前記入力軸の径方向に延びる溝は、前記クラッチハブの前記切り欠きと円周方向の位相をずらせて配置したものである。
ここで、前記ワッシャに設けられた径方向に延びる溝と前記クラッチハブの前記切り欠きとは、円周方向の位相をずらせ、直接、遠心力が加わった潤滑油が前記ワッシャに邪魔されることがないので、前記ワッシャと前記キャンセルプレートの間の潤滑をし、仮に、回転によって潤滑油が回転方向に流されたとしても、位相がずれているので潤滑油をクラッチハブ側に供給することができる。
【００１６】
請求項９にかかる自動変速機の潤滑油供給装置の前記クラッチを制御するキャンセルプレートの支持壁部は、前記支持壁部の一方側に前記ワッシャが配設され、他方側にリターンスプリングを配設したものである。
ここで、前記キャンセルプレートと前記キャリヤとの間の狭いスペースに溝付のワッシャは、前記クラッチヘの潤滑油の供給を前記径方向に延びる溝で確保できればよい。
【００１７】
請求項１０にかかる自動変速機の潤滑油供給装置の前記油受部に供給された潤滑油は、自動変速機を構成するピニオンシャフトに軸支されているピニオン及び前記ピニオンシャフトとピニオンとの間のニードルベアリングに、前記ピニオンシャフトの潤滑油孔を介して供給し、また、前記クラッチハブの内周面の端部に形成した切り欠きを介してクラッチに供給するものである。
ここで、ピニオンシャフトの潤滑油孔及びピニオンシャフトとピニオンとの間のニードルベアリングの潤滑油孔及び切り欠きの形状は、ピニオンシャフトの潤滑油及びニードルベアリングの潤滑油、前記クラッチ側に供給する潤滑油の量を決定するものである。
【００１８】
請求項１１にかかる自動変速機の潤滑油供給装置の前記油受部は、前記キャリヤカバーの壁部及び前記ピニオンシャフトの軸方向に延びた前記キャリヤカバーの基部及び前記基部に連結したクラッチハブの内周面の端部によって形成され、前記キャリヤカバーの壁部よりもクラッチハブの内周面の端部を低くしたものである。即ち、前記入力軸の径方向に形成した壁部の径よりも前記キャリヤカバーの前記基部に連結したクラッチハブの内周面の端部の径が小さいものである。
【００１９】
請求項１２にかかる自動変速機の潤滑油供給装置の前記ワッシャは環状とし、その前記油受部と径方向に延びる溝は、前記油受部の反対側の位置に形成したものである。
ここで、前記ワッシャは、環状のみでなく、Ｃ形等の略環状とすることもできるが、特に環状とするものであり、前記ワッシャの取付けの安定性及び潤滑油の流れをよくするものである。また、前記油受部の反対側の位置に形成した溝は、直接、潤滑油を軸方向の端面に導くと共に、他の機構部分に対しても潤滑油を供給するものである。
【発明の効果】
【００２０】
請求項１にかかる自動変速機における入力軸の軸長方向の移動を規制してなるワッシャに潤滑油を供給する自動変速機の潤滑油供給装置において、前記ワッシャは、前記自動変速機の入力軸の径方向に遠心力で飛ばされる潤滑油を受ける油受部と、前記油受部で受け取った潤滑油を前記ワッシャの前記軸方向の端面のスラスト面に導く案内路とを具備するものであるから、前記自動変速機における入力軸の軸長方向の移動を規制する際、その接触面となるスラスト面には前記油受部で受け案内路を介した前記潤滑油を前記ワッシャの冷却と潤滑に使用できるから、前記潤滑油を受ける油受部として特別のスペースを設定する必要がなくなり、前記ピニオンシャフトの径方向に延びたキャリヤカバーの両側に壁部とその間の軸方向に延びた基部によって油受部を形成した場合に比較して、前記入力軸の軸長方向にその幅を狭くすることができ、自動変速機全体をコンパクト化できる。
また、前記油受部は入力軸の軸長方向の内周側から潤滑油を供給するものであり、前記油受部の潤滑油を、前記ワッシャの冷却と潤滑に使用するだけでなく、例えば、クラッチ等の機構側に供給でき、自動変速機をコンパクトに構成した場合であっても、クラッチ等の他の機構部分に対して十分な潤滑油を確保することができ、任意に潤滑油を供給できる。
【００２１】
また、前記ワッシャは、前記径方向に延びる溝を複数形成してなるものであるから、請求項１の効果に加えて、前記クラッチハブの内周面には、前記潤滑油をクラッチ方向に供給する案内路を設けたものであるから、潤滑油が径方向に延びる複数の溝からクラッチ側に流れ、クラッチ側に適量の潤滑油を供給できる。また、前記油受部及び案内路形状によって潤滑油の供給特性が設定できる。
【００２２】
そして、前記ワッシャの前記軸方向の端面に導く案内路には、前記径方向に延びる面に段差を設け、当該段差をオーバーフローした潤滑油のみが、前記ワッシャの前記軸方向の端面に導かれるものであるから、請求項１または請求項２の効果に加えて、潤滑油が前記径方向に延びる複数の溝からクラッチ側に流れ、クラッチ側に適量の潤滑油を供給できる。また、前記油受部及び案内路形状によって潤滑油の供給特性が設定できる。
【００２３】
請求項２にかかる自動変速機の内部に配設したクラッチに潤滑油を供給する自動変速機の潤滑油供給装置にはワッシャを有し、前記ワッシャは、前記自動変速機の入力軸の軸長方向に配設した前記プラネタリギヤの前記ピニオンシャフトの両端を取付けるキャリヤ及び略環状のキャリヤカバーの前記入力軸の径方向に形成した潤滑油を受ける油受部と前記油受部で受け取った潤滑油を前記軸方向の端面のスラスト面に導く案内路とを有しているから、前記自動変速機における入力軸の軸長方向の移動を規制し、その際、接触面であるスラスト面には前記潤滑油により前記ワッシャの冷却と潤滑に使用し、かつ、前記入力軸の周囲に配設したクラッチドラムの潤滑油孔から供給される潤滑油を、キャンセルプレートの潤滑油溝から前記油受部に対して、その途中の介在物を介すことなく供給されるものである。
したがって、前記自動変速機における入力軸の軸長方向の移動を規制する際、その接触面には前記油受部で受け案内路を介した前記潤滑油を前記ワッシャの冷却と潤滑に使用できるから、前記潤滑油を受ける油受部として特別のスペースを設定する必要がなくなり、前記ピニオンシャフトの径方向に延びたキャリヤカバーの両側に壁部とその間の軸方向に延びた基部によって油受部を形成した場合に比較して、前記入力軸の軸長方向にその幅を狭くすることができ、自動変速機全体をコンパクト化できる。
また、前記油受部はキャリヤカバーの径方向内周側から潤滑油を供給するものであり、前記油受部の潤滑油を、クラッチ等の他の機構側とにも供給でき、自動変速機をコンパクトに構成した場合であっても、クラッチ等の他の機構ヘの十分な潤滑油を確保することができる。そして、前記クラッチハブの内周面には、前記潤滑油をクラッチ方向に供給する案内路を設けたものでは、潤滑油が案内路からクラッチ側に流れ、任意にクラッチ側に潤滑油を供給できる。また、前記案内路形状によって潤滑油の供給特性が設定できる。
更に、前記入力軸の周囲に配設したクラッチドラムの潤滑油孔から供給される潤滑油を、前記キャンセルプレートの潤滑油溝から前記油受部に対して、その途中の介在物を介すことなく供給するものであり、途中の介在物のないこととは、目詰まりを発生する等の部品の存在がないことから、安定した潤滑油の供給が可能であり、また、介在物による潤滑油の漏れがない。
【００２４】
請求項３にかかる自動変速機の潤滑油供給装置の前記ワッシャの前記油受部は、前記油受部の反対側で前記クラッチを構成するクラッチハブと係合するものであるから、請求項１または請求項２に記載の効果に加えて、組み立てを簡単化できる。
【００２５】
請求項４にかかる自動変速機の内部に配設したクラッチに対して潤滑油を供給する自動変速機の潤滑油供給装置においては、前記ピニオンシャフトの径方向に延びたキャリヤカバーの壁部及び前記ピニオンシャフトの軸方向に延びた基部及び前記ピニオンシャフトの基部に連結したクラッチハブの一部の内周面の端部によって、キャリヤカバーに潤滑油を受ける入力軸の軸長方向に開口する周方向の油受部を形成したものであるから、前記ピニオンシャフトの径方向に延びたキャリヤカバーの両側に壁部とその間の軸方向に延びた基部によって油受部が形成されたものに比較して、前記入力軸の軸長方向にその幅を狭くすることができ、自動変速機全体をコンパクト化できる。また、前記油受部はキャリヤカバーの径方向内周側から潤滑油を供給するものであり、前記油受部の潤滑油を、ピニオンシャフト側とクラッチ側とに分配でき、自動変速機をコンパクトに構成した場合であっても、クラッチヘの十分な潤滑油を確保することができる。そして、前記クラッチハブの内周面には、前記潤滑油をクラッチ方向に供給する切り欠きを設けたものであるから、潤滑油がプラネタリギヤのピニオンシャフト側及び切り欠きからクラッチ側に流れ、任意にプラネタリギヤ側とクラッチ側とに潤滑油を分配できる。また、前記切り欠き形状によって潤滑油の供給特性が設定できる。
【００２６】
請求項５にかかる自動変速機の内部に配設したクラッチに対して潤滑油を供給する自動変速機の潤滑油供給装置においては、前記ピニオンシャフトの径方向に延びたキャリヤカバーの壁部及び前記ピニオンシャフトの軸方向に延びた基部及び前記ピニオンシャフトの基部に連結したクラッチハブの一部の内周面の端部によって、キャリヤカバーに潤滑油を受ける入力軸の軸長方向に開口する周方向の油受部を形成したものであるから、前記ピニオンシャフトの径方向に延びたキャリヤカバーの両側に壁部とその間の軸方向に延びた基部によって油受部が形成されたものに比較して、入力軸の軸長方向にその幅を狭くすることができ、自動変速機全体をコンパクト化できる。
また、前記油受部はキャリヤカバーの径方向内周側から潤滑油を供給するものであり、前記油受部の潤滑油を、ピニオンシャフト側とクラッチ側とに分配でき、自動変速機をコンパクトに構成した場合であっても、クラッチヘの十分な潤滑油を確保することができる。そして、前記クラッチハブの内周面には、前記潤滑油をクラッチ方向に供給する切り欠きを設けたものであるから、潤滑油がプラネタリギヤのピニオンシャフト側及び切り欠きからクラッチ側に流れ、任意にプラネタリギヤ側とクラッチ側とに潤滑油を分配できる。また、前記切り欠き形状によって潤滑油の供給特性が設定できる。
更に、前記入力軸の周囲に配設したクラッチドラムの潤滑油孔から供給される潤滑油を、前記キャンセルプレートの潤滑油溝から前記油受部に対して、その途中の介在物を介すことなく供給するものであり、途中の介在物のないこととは、目詰まりを発生する等の部品の存在がないことから、安定した潤滑油の供給が可能であり、また、介在物による潤滑油の漏れがない。
【００２７】
請求項６にかかる自動変速機の潤滑油供給装置の前記クラッチハブの内周側に形成した切り欠きは、入力軸を中心とする半径方向に大きくなると小さくなる形状としたものであるから、請求項４または請求項５に記載の効果に加えて、ピニオンシャフト側の潤滑油を確保しながら、前記切り欠きからクラッチ側に潤滑油を流すものであるから、前記油受部の油面が安定（平衡）し、安定したピニオンシャフト側及びクラッチ側の潤滑油の供給とすることができる。
【００２８】
請求項７にかかる自動変速機の潤滑油供給装置の前記クラッチハブと前記クラッチを制御するキャンセルプレートとの間には、入力軸の径方向の前記切り欠き位置よりも大きい外径方向の位置で、前記クラッチハブの軸方向の移動を規制し、かつ、前記径方向に延びる溝を形成したワッシャが配設されているものであるから、請求項４乃至請求項６の何れか１つに記載の効果に加えて、クラッチハブとキャンセルプレートとの間に、前記クラッチハブの軸方向の位置を規制するワッシャが配設され、しかも、前記ワッシャは前記切り欠きより径方向外側に配設され、更に、径方向に延びる溝が形成されているから、前記切り欠きから供給される潤滑油が、前記クラッチハブの回転によって前記ワッシャ側に流れ、更に、前記ワッシャの径方向に延びる溝を介してクラッチの複数のクラッチプレート及びクラッチディスクに供給され、自動変速機をコンパクトに構成しても潤滑油を十分に供給することができる。
【００２９】
請求項８にかかる自動変速機の潤滑油供給装置の前記ワッシャに設けられた前記径方向に延びる溝は、前記クラッチハブの切り欠きと円周方向の位相をずらせて配置したものであるから、請求項７に記載の効果に加えて、前記ワッシャの径方向に延びる溝は、前記クラッチハブ、前記ワッシャは回転しているから、前記切り欠きから供給される潤滑油は回転方向に流れるが、前記ワッシャの径方向に延びる溝が前記切り欠きとは位相をずらして配置されていることにより、前記ワッシャと前記キャンセルプレートの間の潤滑をし、仮に、回転によって潤滑油に遠心力が加わっても、位相がずれているので潤滑油が前記ワッシャに邪魔されることなく、クラッチハブ側に供給することができる。
【００３０】
請求項９にかかる自動変速機の潤滑油供給装置の前記ワッシャは、前記クラッチを制御するキャンセルプレートとの支持壁部を挟み、前記支持壁部の一方側に前記ワッシャが配設され、他方側にリターンスプリングが配設されたものであるから、請求項４乃至請求項８の何れか１つに記載の効果に加えて、キャンセルプレートとキャリヤとの間の狭いスペースに溝付のワッシャを配設し、そのスペースを確保しているので、クラッチヘの潤滑油の供給を確保し、自動変速機の全体をコンパクトに構成できる。
【００３１】
請求項１０にかかる自動変速機の潤滑油供給装置の前記油受部に供給された潤滑油は、自動変速機を構成するピニオンシャフトに軸支されているピニオン及びその間のニードルベアリングに前記ピニオンシャフトの潤滑油孔を介して供給し、また、前記クラッチハブの内周面の端部に形成した切り欠きを介してクラッチに供給するものであるから、請求項４乃至請求項９の何れか１つに記載の効果に加えて、ピニオンシャフトに軸支されているピニオン及びその間のニードルベアリングの潤滑油、前記クラッチハブの内周面の端部からクラッチ側に供給する潤滑油の分配量を任意に決定することができる。
【００３２】
請求項１１にかかる自動変速機の潤滑油供給装置の前記油受部は、前記キャリヤカバーの壁部及び前記ピニオンシャフトの軸方向に延びた前記キャリヤカバーの基部及び前記基部に連結したクラッチハブの内周面の端部によって形成され、前記キャリヤカバーの壁部よりもクラッチハブの内周面の端部を低くしたものであるから、請求項４乃至請求項１０の何れか１つに記載の効果に加えて、前記油受部の潤滑油は、クラッチハブ側に流れざるを得なくなることから、安定してクラッチに潤滑油を供給することができる。
【００３３】
請求項１２にかかる自動変速機の潤滑油供給装置の前記ワッシャは環状とし、その前記油受部と径方向に延びる溝は、前記油受部の反対側の位置に形成したものであるから、請求項１乃至請求項３の何れか１つに記載の効果に加えて、前記ワッシャは、環状とすると前記ワッシャの取付けの安定性及び潤滑油の流れがよくなり、また、前記油受部の反対側の位置に形成した溝は、直接、他の機構部分に対しても潤滑油を供給すると共に、前記環状のワッシャの軸方向端面に対する潤滑油を導くことができる。即ち、前記径方向に延びる溝によって他の機構部分に対する潤滑油の供給を優先し、次いで、前記環状のワッシャの軸方向端面に対する潤滑油を供給することができる。
【発明を実施するための最良の形態】
【００３４】
以下、本発明の実施の形態について、図面に基づいて説明する。なお、実施の形態において、図中、実施の形態１と同一記号及び同一符号は、同一または相当する機能部分であるから、ここでは重複する説明を省略する。
［実施の形態１］
【００３５】
図１は本発明の実施の形態１にかかる自動変速機の潤滑油供給装置を示す要部断面図であり、図２は本発明の実施の形態１にかかる自動変速機の潤滑油供給装置を示す要部断面における潤滑油の流れを示す説明図である。また、図３は本発明の実施の形態１にかかる自動変速機の潤滑油供給装置を示す要部の側面図、図４は本発明の実施の形態１にかかる自動変速機の潤滑油供給装置を示す要部の断面図で、図３の切断線Ａ−Ａによる断面に相当するものである。そして、図５は本発明の実施の形態１にかかる自動変速機の潤滑油供給装置を示す要部の樹脂ワッシャ付きの側面図である。
【００３６】
図において、入力軸１はエンジンを駆動源とし、トルクコンバ−タからの回転が入力される軸で、その軸方向、即ち、軸長方向には各種機構部品にポンプから供給された必要な潤滑油を供給する潤滑油孔２が穿設されている。
入力軸１のフランジ１ａには、略有底円筒状のキャリヤ３が一体に回転するように取付けられている。略有底円筒状のキャリヤ３の底に相当する支持壁部（以下、ここでは入力軸１の径方向、即ち、入力軸１を中心として径方向に延びた部分を「壁部」または「支持壁部」と、「壁」の概念で説明する）には、複数個のプラネタリギヤのピニオンシャフト４が取付けられており、プラネタリギヤには複数個のピニオン５がニードルベアリング７を介して回転自在に取付けられている。ピニオンシャフト４の中心軸には、潤滑油孔６が穿設され、更に、潤滑油孔６からその周方向（径方向）に潤滑油孔８が穿設されており、プラネタリギヤのピニオンシャフト４とピニオン５との間に配設されているニードルベアリング７に潤滑油が供給されるようになっている。
【００３７】
ピニオンシャフト４の一端を固定する略有底円筒のキャリヤ３に対して、ピニオンシャフト４の他端も別部材からなる略円環状のキャリヤカバー４１に固着されている。この略円環状のキャリヤカバー４１は略有底円筒のキャリヤ３の開口側に装着され、一体となり、堅固にピニオンシャフト４を固定するものである。
略円環状のキャリヤカバー４１の内側、即ち、入力軸１を中心とする略円環状の内側は、入力軸１を中心とする径方向が小さくなるように延ばした壁部４１ａとしている。また、壁部４１ａに連続してピニオンシャフト４の軸方向に延びた基部４１ｂを形成したものである。したがって、キャリヤカバー４１の内周断面のシルエットラインは、略Ｌ字形状となっている。
なお、ピニオンシャフト４の周囲でピニオン５の両端には、金属ワッシャが配設されており、ピニオン５がキャリヤ３及びキャリヤカバー４１との間の相対回転のために設けている。
【００３８】
更に、キャリヤカバー４１の基部４１ｂに連結したクラッチハブ３３の一部の内側方向の端部３３ａによって、キャリヤカバー４１に潤滑油を受ける入力軸１の軸方向に開口する周方向の油溜り溝としての油受部４０を形成している。
このクラッチハブ３３の内方向の端部３３ａは、油受部４０からキャリヤカバー４１の基部４１ｂを基準としてみると、壁部４１ａの高さがクラッチハブ３３の端部３３ａの高さよりも高く設定されている。即ち、油受部４０に潤滑油が満たされたとき、クラッチハブ３３の端部３３ａの高さを乗り越えて潤滑油が供給される構造となっている。言い換えると、このクラッチハブ３３の内方向の端部３３ａは、入力軸１を中心とする半径からみると、壁部４１ａの内端の直径はクラッチハブ３３の端部３３ａの直径よりも小さく設定されている。
【００３９】
また、本実施の形態では、クラッチハブ３３の内周側に略半円状の切り欠き５０を設け、油受部４０に潤滑油が満たされてクラッチハブ３３の端部３３ａの内周の高さを乗り越えて潤滑油がクラッチ３０側に供給される前に、クラッチハブ３３の切り欠き５０からクラッチ３０側に潤滑油を供給する構成となっている。即ち、クラッチハブ３３の切り欠き５０は、油受部４０からキャリヤカバー４１の基部４１ｂを基準としてみると、壁部４１ａの高さがクラッチハブ３３の切り欠き５０のキャリヤカバー４１の基部４１ｂからの高さよりも高く設定されている。即ち、油受部４０に潤滑油がキャリヤカバー４１の基部４１ｂから上昇すると、クラッチハブ３３の切り欠き５０からクラッチ３０に潤滑油が供給される。言い換えると、このクラッチハブ３３の切り欠き５０は、入力軸１を中心とする径からみると、壁部４１ａの内端の径はクラッチハブ３３の切り欠き５０のキャリヤカバー４１の基部４１ｂ側の直径よりも小さく設定されている。
【００４０】
ピニオン５は、サンギヤ１０と噛み合っている。サンギヤ１０は自動変速機のケースに固定されたステータシャフト１１に連結され、回転不能に取付けられている。ステータシャフト１１と入力軸１との間は、ニードルベアリング１２を介して回転自在に取付けられている。サンギヤ１０の入力軸１に装着されたボス部には、スリーブ部材２１が装着されている。スリーブ部材２１は、オイルポンプボディから延設され、ニードルベアリング１３を介してクラッチドラム２２のボス部２２ａが配設されている。このクラッチドラム２２のボス部２２ａには潤滑油孔２３が設けられていて、入力軸１の潤滑油孔２にオイルポンプで供給された潤滑油が、スリーブ部材２１を介して、クラッチドラム２２のボス部２２ａの潤滑油孔２３から、スナップリング２４で移動が制限されているキャンセルプレート２５の端部の潤滑油溝２５ｂに供給される。
【００４１】
クラッチドラム２２の周囲には、ピストン部材２６が摺動自在となっている。そして、ピストン部材２６とキャンセルプレート２５との間には、リターンスプリング２７が配設されている。即ち、リターンスプリング２７によってキャンセルプレート２５とピストン部材２６との間隔を拡大するように弾性力を付与している。
【００４２】
ドラム部材２８は、ピストン部材２６との間にサーボ油室２６Ａを形成し、図示しないコントロールバルブで制御された油圧をサーボ油室２６Ａに導入し、ピストン部材２６によってクラッチプレート３１及びクラッチディスク３２からなるクラッチ３０を断続させる。このクラッチ３０は、入力軸１を中心とする径方向の内側位置がクラッチハブ３３で支持され、その外周側は、ドラム部材２８で支持されることによって構成されている。
【００４３】
また、クラッチハブ３３とクラッチ３０のキャンセルプレート２５との間には、入力軸１を中心とする径方向が略半円状の切り欠き５０の位置より大きい外径方向の位置であり、かつ、クラッチハブ３３の軸方向の移動を規制する樹脂製の環状のワッシャ４５が配設されている。この樹脂製のワッシャ４５には、径方向に延びる溝４６を形成している。径方向に延びる溝４６は、切り欠き５０から供給される潤滑油が、クラッチハブ３３の回転によってワッシャ４５側に流れ、ワッシャ４５の径方向に延びる溝４６を介してクラッチ３０の複数のクラッチプレート３１及びクラッチディスク３２に供給され、自動変速機をコンパクトに構成しても潤滑油を十分にクラッチ３０に供給することができる。ワッシャ４５は、クラッチハブ３３の装着孔３３ｃに挿入される凸部４５ａを有しており、それによって周り止めされ、かつ、容易に離脱されないように係合し、安定した取付け状態を維持している。
このワッシャ４５は、通常の金属等のワッシャとすることもできる。また、ワッシャ４５はクラッチハブ３３に穿設された取付孔に挿入して固定され、容易に離脱しない構造となっている。
【００４４】
油受部４０の中央には、複数のピニオンシャフト４の各々に潤滑油孔６に連通する潤滑油孔４７が穿設されている。したがって、油受部４０に潤滑油が収集されると、潤滑油孔４７を介して複数のピニオンシャフト４の各々の潤滑油孔６に給油される。潤滑油孔６に供給された潤滑油は、徐々に潤滑油孔８を介してニードルベアリング７に供給される。また、油受部４０で収集された潤滑油は、切り欠き５０の最外周位置に到達すると、切り欠き５０を超えて潤滑油がクラッチ３０側に遠心力で飛ばされ、クラッチ３０に給油することができる。
【００４５】
また、キャンセルプレート２５には、クラッチドラム２２の入力軸１と同心に配設したボス部２２ａに嵌められた筒状部２５ｃ及びスナップリング２４で移動を制限されるその端部の支持部２５ｅを有し、かつ、筒状部２５ｃにはキャンセルプレート２５とピストン部材２６で形成されるキャンセル油室２５Ａの潤滑油を排出する入力軸１の軸方向のドレン溝２５ｄを形成し、前記支持部２５ｅには入力軸１から径方向のドレン溝２５ｂを形成したものであるから、キャンセルプレート２５とピストン部材２６で形成されるキャンセル油室２５Ａから漏れ出る潤滑油を効率的に使用できる。
【００４６】
キャンセルプレート２５の端部の潤滑油溝２５ｂから飛散された潤滑油は、入力軸１の軸方向に開口する油受部４０で受け止められる。油受部４０は、ピニオンシャフト４をキャリヤ３と共に取付ける略環状のキャリヤカバー４１の壁部４１ａ及びピニオンシャフト４の軸方向に延びたキャリヤカバー４１の基部４１ｂ及びキャリヤカバー４１の基部４１ｂに連結したクラッチハブ３３の内方向の端部３３ａによって形成されている。キャリヤカバー４１の基部４１ｂには、ピニオンシャフト４の潤滑油孔６に連通する潤滑油孔４７が穿設されているから、油受部４０に潤滑油が収集されると、潤滑油孔４７を介してピニオンシャフト４の潤滑油孔６に給油される。潤滑油孔６に供給された潤滑油は、徐々に潤滑油孔８を介してニードルベアリング７に給油することができる。
【００４７】
このように構成された本実施の形態の自動変速機の潤滑油供給装置においては、次のように動作することができる。
図示しないオイルポンプで供給された潤滑油がオイルポンプボディのスリーブ部材２１に設けられた潤滑油路に供給され潤滑油は、クラッチドラム２２のボス部２２ａの潤滑油孔２３を通過し、キャンセルプレート２５の端部または端部に形成された潤滑油溝２５ｂを通過して、キャンセルプレート２５の端部または端部に形成された潤滑油溝２５ｂから遠心力によって、自動変速機の入力軸の径方向に飛散される。
【００４８】
飛散された潤滑油は、入力軸１の軸方向に開口する油受部４０で受け止められる。油受部４０は、ピニオンシャフト４をキャリヤ３と共に取付ける略環状のキャリヤカバー４１の壁部４１ａ及びピニオンシャフト４の軸方向に延びたキャリヤカバー４１の基部４１ｂ及びキャリヤカバー４１の基部４１ｂに連結したクラッチハブ３３の一部の内方向の端部３３ａによって形成されている。キャリヤカバー４１の基部４１ｂには、ピニオンシャフト４の潤滑油孔６に連通する潤滑油孔４７が穿設されているから、油受部４０に潤滑油が収集されると、潤滑油孔４７を介してプラネタリギヤのピニオンシャフト４の潤滑油孔６に給油される。潤滑油孔６に供給された潤滑油は、徐々に潤滑油孔８を介してプラネタリギヤのニードルベアリング７等に供給される。また、油受部４０で収集された潤滑油は、切り欠き５０の最外周位置の深さまで溜まると、切り欠き５０を超えて潤滑油がクラッチ３０側に遠心力で飛ばされ、クラッチ３０に給油することができる。
【００４９】
このとき、油受部４０の潤滑油を、ピニオンシャフト４側とクラッチ３０側とに分配でき、また、油受部４０の潤滑油がクラッチハブ３３の内周面に切り欠き５０を設けているから、潤滑油がピニオンシャフト４側及び切り欠き５０からクラッチ３０側に流れ、任意に潤滑油孔４７、潤滑油孔４及び切り欠き５０の形状及びサイズの設定により、ピニオンシャフト４のプラネタリギヤ側とクラッチ３０側とに供給できる。
特に、例えば、切り欠き５０の形状を、入力軸１を中心とする側の長さを広くした三角形、台形、半円等とすることができる。このとき、切り欠き５０を越えて外部に出る潤滑油は、遠心力の影響を受ける潤滑油として、高効率でクラッチ３０まで飛ばすことができる。
［実施の形態２，３，４］
【００５０】
図６は本発明の実施の形態２にかかる自動変速機の潤滑油供給装置を示す要部の断面図で、図７は本発明の実施の形態３にかかる自動変速機の潤滑油供給装置を示す要部の断面図で、図８は本発明の実施の形態４にかかる自動変速機の潤滑油供給装置を示す要部の断面図である。
【００５１】
図６は自動変速機の内部に配設したピニオンシャフト４及びピニオン５等からなるプラネタリギヤ及びクラッチプレート３１及びクラッチディスク３２を有するクラッチ３０に対して潤滑油を供給する自動変速機の潤滑油供給装置において、自動変速機の入力軸１の軸方向と同軸方向に配設したプラネタリギヤのピニオンシャフト４の両端を取付けるキャリヤ３及び略環状のキャリヤカバー４１と、キャリヤカバー４１の入力軸１から径方向に形成した壁部４１ａ及びピニオンシャフト４の軸方向に延びたキャリヤカバー４１の基部４１ｂ及び基部４１ｂに連結したクラッチハブ３３の内周面の端部によって構成される入力軸１の軸方向に、かつ、周方向に開口する油受部４０と、クラッチハブ３３の内周面に形成した油受部４０の潤滑油をクラッチ方向に供給する略三角状に切り欠いた切り欠き５０Ａとを具備し、入力軸１の周囲に配設したクラッチドラム２２の潤滑油孔２３から供給される潤滑油を、前記キャンセルプレート２５の潤滑油溝２５ｂから油受部４０に対して、その途中の介在物を介すことなく供給するものである。
【００５２】
特に、図６（ａ）に示すように、クラッチハブ３３の内周面に形成した油受部４０の潤滑油をクラッチ３０方向に供給する略三角状に切り欠いた切り欠き５０Ａは、クラッチハブ３３の平面に対して略Ｖ字形状に打ち抜いたものである。クラッチハブ３３の平面に対して略Ｖ字形状に打ち抜いた切り欠き５０Ａは、油受部４０から潤滑油がクラッチ３０側に送給されるとき、その供給位置合わせ、または供給油量によって、図６（ｂ）に示すように、キャリヤカバー４１の基部４１ｂ側の頂点をキャリヤカバー４１の基部４１ｂの反対側にプレス加工等によって突出させることにより、表面張力の影響を受けてクラッチ３０方向に供給することもできる。クラッチハブ３３の内周側に略半円状の切り欠き５０についても同様である。
【００５３】
図７は自動変速機の入力軸１の軸方向と同軸方向に配設したプラネタリギヤのピニオンシャフト４の両端を取付けるキャリヤ３及び略環状のキャリヤカバー４１と、キャリヤカバー４１の入力軸１の径方向に形成した壁部４１ａ及びピニオンシャフト４の軸方向に延びたキャリヤカバー４１の基部４１ｂ及び基部４１ｂに連結したクラッチハブ３３の内周面の端部によって構成される入力軸１の軸方向に、かつ、周方向に開口する油受部４０と、クラッチハブ３３の内周面に形成した油受部４０の潤滑油をクラッチ３０方向に供給する略四角状に切り欠いた切り欠き５０Ｂを具備し、入力軸１の周囲に配設したクラッチドラム２２の潤滑油孔２３から供給される潤滑油を、前記キャンセルプレート２５の潤滑油溝２５ｂから油受部４０に対して、その途中の介在物を介すことなく供給するものである。
【００５４】
特に、図７（ａ）に示すように、クラッチハブ３３の内周面に形成した油受部４０の潤滑油をクラッチ３０方向に供給する略四角状に切り欠いた切り欠き５０Ｂは、クラッチハブ３３の平面に対して略凹字形状に打ち抜いたものである。クラッチハブ３３の平面に対して略凹字形状に打ち抜いた切り欠き５０Ｂは、油受部４０から潤滑油がクラッチ３０側に送給されるとき、その供給位置合わせ、または供給油量によって、図７（ｂ）に示すように、キャリヤカバー４１の基部４１ｂ側の底辺をキャリヤカバー４１の基部４１ｂの反対側にプレス加工等によって突出させることにより、表面張力の影響を受けてクラッチ３０方向に供給することができる。
【００５５】
また、図８はクラッチハブ３３の内周面に形成した油受部４０の潤滑油をクラッチ３０方向に供給する略台形状に切り欠いた切り欠き５０Ｃを具備し、入力軸１の周囲に配設したクラッチドラム２２の潤滑油孔２３から供給される潤滑油を、前記キャンセルプレート２５の潤滑油溝２５ｂから油受部４０に対して、その途中の介在物を介すことなく供給するものである。
【００５６】
特に、図８（ａ）に示すように、クラッチハブ３３の内周面に形成した油受部４０の潤滑油をクラッチ３０方向に供給する略台形状に切り欠いた切り欠き５０Ｃは、クラッチハブ３３の平面に対して略台形状に打ち抜いたものである。クラッチハブ３３の平面に対して略台形状に打ち抜いた切り欠き５０Ｃは、油受部４０から潤滑油がクラッチ３０側に送給されるとき、その供給位置合わせ、または供給油量によって、図８（ｂ）に示すように、キャリヤカバー４１の基部４１ｂ側の短辺側をキャリヤカバー４１の基部４１ｂの反対側にプレス加工等によって突出させることにより、表面張力の影響を受けてクラッチ３０方向に供給することができる。
このように、切り欠き５０，５０Ａ，５０Ｂ，５０Ｃはキャリヤカバー４１の基部４１ｂ側をキャリヤカバー４１の基部４１ｂの反対側に突出させることによって、遠心力によってクラッチハブ３３の平面を潤滑油が流れることなく、表面張力の影響を受けてクラッチ３０方向に供給することができる。
【００５７】
以上のように、上記実施の形態の自動変速機の内部に配設したクラッチ３０に対して潤滑油を供給する自動変速機の潤滑油供給装置においては、ピニオンシャフト４をキャリヤ３と共に取付ける略環状のキャリヤカバー４１の壁部４１ａ及びピニオンシャフト４の軸方向に延びたキャリヤカバー４１の基部４１ｂ及びキャリヤカバー４１の基部４１ｂに連結したクラッチハブ３３の一部の内方向の端部３３ａによって、キャリヤカバー４１に潤滑油を受ける入力軸１の軸方向に開口する周方向の油受部４０を形成したものである。
したがって、例えば、ピニオンシャフト４の径方向に延びたキャリヤカバー４１の両壁部と、その間の軸方向に延びたキャリヤカバー４１の基部４１ｂによって油受部４０が形成するものと比較すると、ピニオンシャフト４の径方向に延びたキャリヤカバー４１の壁部４１ａとクラッチハブ３３の端部３３ａと、その間の軸方向に延びたキャリヤカバー４１の基部４１ｂによって油受部４０が形成されているから、入力軸１の軸方向にその幅を狭くすることができ、自動変速機の全体をコンパクト化できる。
【００５８】
また、油受部４０はキャリヤカバー４１の径方向内周側から潤滑油を供給するものであり、油受部４０の潤滑油を、ピニオンシャフト４側とクラッチ３０側とに分配でき、自動変速機をコンパクトに構成した場合であっても、クラッチ３０ヘの十分な潤滑油を確保することができる。そして、油受部４０の潤滑油がクラッチハブ３３の内周面に切り欠き５０，５０Ａ，５０Ｂ，５０Ｃを設けることにより、潤滑油がピニオンシャフト４側及び切り欠き５０，５０Ａ，５０Ｂ，５０Ｃからクラッチ側に流れるので、任意に潤滑油孔４７、潤滑油孔４及び切り欠き５０，５０Ａ，５０Ｂ，５０Ｃの形状及びサイズの設定により、ピニオンシャフト４側とクラッチ３０側とに分配できる。
【００５９】
本発明を実施する場合のクラッチ３０は、自動変速機の内部に配設されたクラッチプレート３１及びクラッチディスク３２からなるものであるが、本発明を実施する場合、クラッチプレート３１及びクラッチディスク３２の枚数は制限されるものではない。
また、ピニオンシャフト４は、複数段の自動変速機の場合には、何れのプラネタリギヤのピニオンシャフト４であってもよく、本発明を実施する場合、特定の位置に配設されたピニオン５に限定されるものではない。
そして、ピニオンシャフト４の径方向に延びたキャリヤカバー４１の壁部４１ａ及びピニオンシャフト４の軸方向に延びたキャリヤカバー４１の基部４１ｂとは、基部４１ｂが平坦なキャリヤカバー４１の内周側の断面形状が略Ｌ字形状、基部４１ｂが窪んだ略Ｕ字形状のキャリヤカバー４１の内周側の断面形状が略Ｊ字形状になっておればよい。
【００６０】
更に、本実施の形態の入力軸１の軸方向に開口する周方向の油受部４０とは、入力軸１の軸方向に開口する周方向の溝であることを特定するもので、油受部４０の深さは、キャリヤカバー４１の壁部４１ａ及びクラッチハブ３３の一部の面の切り欠き５０，５０Ａ，５０Ｂ，５０Ｃによって決定され、その幅はピニオンシャフト４の軸方向に延びたキャリヤカバー４１の基部４１ｂによって決定されればよい。
【００６１】
更にまた、本実施の形態にかかる自動変速機の潤滑油供給装置は、クラッチハブ３３の内周面には、潤滑油をクラッチ３０方向に供給する切り欠き５０，５０Ａ，５０Ｂ，５０Ｃを設けたものであるから、潤滑油がピニオンシャフト４側及び切り欠き５０からクラッチ３０側に流れ、任意にピニオンシャフト４側とクラッチ３０側とに分配できる。また、切り欠き５０の形状によって潤滑油の供給形態が特定できる。
【００６２】
そして、本実施の形態にかかる自動変速機の潤滑油供給装置は、クラッチハブ３３の内周側に形成した切り欠き５０，５０Ａ，５０Ｃは、入力軸１を中心とする径が大きくなると小さくなる形状としたものであるから、ピニオンシャフト４側の潤滑油を確保しながら、切り欠き５０，５０Ａ，５０Ｃからクラッチ３０側に潤滑油を流すものであり、油受部４０の油面が安定し、安定したピニオンシャフト４側及びクラッチ３０側の潤滑油の供給とすることができる。
【００６３】
加えて、本実施の形態にかかる自動変速機の潤滑油供給装置は、クラッチハブ３３とクラッチ３０のキャンセルプレート２５との間には、入力軸１を中心とする切り欠き５０，５０Ａ，５０Ｂ，５０Ｃの位置より大きい外径方向の位置で、クラッチハブ３３の軸方向の移動を規制し、かつ、径方向に延びる油受部４０を形成したワッシャ４５が配設され、また、ワッシャ４５は切り欠き５０，５０Ａ，５０Ｂ，５０Ｃより径方向外側に配設され、更に、径方向に延びる溝４６が形成されているから、切り欠き５０，５０Ａ，５０Ｂ，５０Ｃから供給される潤滑油が、ワッシャ４５側に流れ、そこにクラッチハブ３３の遠心力が作用しても、ワッシャ４５の径方向に延びる溝４６を介してクラッチの複数のクラッチプレート３１及びクラッチディスク３２に供給されるから、自動変速機をコンパクトに構成しても潤滑油を十分に供給することができる。
【００６４】
また、本実施の形態にかかる自動変速機の潤滑油供給装置は、ワッシャ４５に設けられた径方向に延びる溝４６は、クラッチハブ３３の切り欠き５０，５０Ａ，５０Ｂ，５０Ｃと円周方向の位相をずらせて配置し、ワッシャ４５に設けられた径方向の溝４６は、クラッチハブ３３、ワッシャ４５が回転し、切り欠き５０，５０Ａ，５０Ｂ，５０Ｃから供給される潤滑油が回転方向に流れても、ワッシャ４５の径方向の溝４６が切り欠き５０，５０Ａ，５０Ｂ，５０Ｃとは位相をずらして配置されているから、潤滑油が回転方向に流されることに影響されず、クラッチハブ３３に潤滑油を供給することができる。
【００６５】
そして、本実施の形態にかかる自動変速機の潤滑油供給装置のワッシャ４５は、クラッチハブ３３とクラッチ３０のキャンセルプレート２５の支持壁部２５ａに挟まれ、支持壁部の一方側にワッシャ４５が配設され、他方側にリターンスプリング２７を配設したものであるから、機械的強度に影響を与えることなく、かつ、クラッチ３０の複数のクラッチプレート３１及びクラッチディスク３２ヘの潤滑油の供給を確保し、自動変速機をコンパクトに構成できる。
【００６６】
更に、本実施の形態にかかる自動変速機の内部に配設したクラッチ３０に対して潤滑油を供給する自動変速機の潤滑油供給装置においては、ピニオンシャフト４をキャリヤ３と共に取付ける略環状のキャリヤカバー４１の壁部４１ａ及びピニオンシャフト４の軸方向に延びたキャリヤカバー４１の基部４１ｂ及びキャリヤカバー４１の基部４１ｂに連結したクラッチハブ３３の一部の内方向の端部３３ａによって、キャリヤカバー４１に潤滑油を受ける入力軸１の軸方向に開口する周方向の油受部４０を形成し、入力軸１の周囲に配設したクラッチハブ３３の潤滑油孔２３から供給される潤滑油が、キャンセルプレート２５の支持壁部から油受部４０に対して、その途中の介在物を介すことなく供給するものであるから、特別、クラッチハブ３３の支持壁部の潤滑油孔２３から油受部４０までの潤滑油孔を形成することなくクラッチ３０に潤滑油を供給することができる。
［実施の形態５，６］
【００６７】
図９は本発明の実施の形態５にかかる自動変速機の潤滑油供給装置を示す要部断面図、図１０は本発明の実施の形態５にかかる自動変速機の潤滑油供給装置で使用するワッシャの正面図（ａ）及びその中央縦断面図（ｂ）、要部拡大斜視図（ｃ）を示すものであり、図１１は本発明の実施の形態６にかかる自動変速機の潤滑油供給装置で使用するワッシャの正面図（ａ）及び要部拡大斜視図（ｂ）を示すものである。
図９及び図１０において、実施の形態５にかかる環状のワッシャ６０は、合成樹脂製であり、キャリヤカバー４１の基部４１ｂに連結したクラッチハブ３３の内周に係合させて取付けたものである。ワッシャ６０は、上記実施の形態のクラッチハブ３３の軸方向の移動を規制するワッシャ４５と同等のものである。なお、環状のワッシャ６０は、金属製とすることもできる。
【００６８】
ワッシャ６０は、図１０に示すように、全体が略環状を呈しており、その環状のスラスト部６１に複数個所、全体のバランス及び潤滑油の供給を考慮すると、３個以上の箇所に、そのワッシャ６０の軸の長さ方向に並行する入力軸１の径方向の遠心力で飛ばされる潤滑油を受ける入力軸１の径方向に開口する油受部６５と、油受部６５で受け取った潤滑油をワッシャ６０の軸方向の端面であるスラスト面６４に導く案内路６６とを具備している。このワッシャ６０としては、環状のみでなく、Ｃ形等の略環状とすることもできる。しかし、環状とすることによって、ワッシャ６０の取付けの安定性及び潤滑油の流れをよくすることができる。
油受部６５は、キャンセルプレート２５の端部または端部に形成された潤滑油溝２５ｂを通過して遠心力で飛ばされた潤滑油を受ける深さの容積の形態を有している。本実施の形態では、端部６５ａを起立させることによってその潤滑油の収容容積を形成している。
【００６９】
また、油受部６５で受け取った潤滑油は、その潤滑油をワッシャ６０の軸方向の端面、具体的には、スラスト面６４に導くため、案内路６６を起立させた端部６５ａによって案内路６６を形成している。本実施の形態では、油受部６５と案内路６６の境界６７に段差を形成しているが、本発明を実施する場合には、段差６７の有無は関係ない。特に、段差６７は、潤滑油の切れ間が生じないようにポテンシャルエネルギを与えるものであるが、斜面として形成することもできるし、潤滑油の表面張力による深さとすることもできる。
スラスト部６１は、そのスラスト面６４がキャンセルプレート２５の支持壁部２５ａの面に直接機械的に接触しないよう、油受部６５で受けた潤滑油を案内路６６を介して潤滑油を導き、それをその表面に流して、スラスト面６４と支持壁部２５ａの面とが潤滑油の接触とし、かつ、スラスト部６１を含むワッシャ６０全体の冷却を行うものである。
【００７０】
このように構成された本実施の形態の自動変速機の潤滑油供給装置においては、次のように動作することができる。
図示しないオイルポンプで供給された潤滑油がオイルポンプボディのスリーブ部材２１に設けられた潤滑油路に供給され潤滑油は、クラッチドラム２２のボス部２２ａの潤滑油孔２３を通過し、キャンセルプレート２５の端部または端部に形成された潤滑油溝２５ｂを通過して、そこから遠心力によって、自動変速機の入力軸１の径方向に飛散される。
【００７１】
飛散された潤滑油は、入力軸１の軸方向に開口する油受部６５で受け止められる。油受部６５は、キャンセルプレート２５の端部または端部に形成された潤滑油溝２５ｂを通過して遠心力で飛ばされた潤滑油を受ける形態に形成されている。油受部６５で収集された潤滑油は、案内路６６を介して、スラスト部６１の入力軸１の軸方向の端部面のスラスト面６４に導かれる。ここで、キャンセルプレート２５の支持壁部２５ａの面にスラスト部６１のスラスト面６４が直接機械的に接触しないように、油受部６５で受けた潤滑油を案内路６６を介して導き、それをその表面に流して、潤滑油の接触とし、かつ、スラスト部６１を含むワッシャ６０全体の冷却を行っている。更に、ワッシャ６０は回転しているので、油受部６５で受けた潤滑油を案内路６６を介してその表面に流すと、径方向に延びる溝６３によって流れが促進され、そこで潤滑油の油溜りが増大し、遠心力を受けて潤滑油の滴がクラッチ３０側に飛ばされ、クラッチ３０に給油することができる。
このとき、油受部６５で受けた潤滑油を、スラスト部６１を流れる潤滑油は、クラッチ３０のクラッチハブ３３の内周面側からも流すことができ、潤滑油はクラッチ３０側に遠心力の影響を受けて、高効率で給油することができる。
【００７２】
図１１に示す実施の形態６と実施の形態５との間は、径方向に延びる溝６３の位置が相違している。
即ち、実施の形態５の自動変速機の潤滑油供給装置のワッシャ６０は、環状とし、その油受部６５と径方向に延びる溝６３は、ワッシャ６０の周囲の油受部６５相互間の中央位置に形成したものである。本発明を実施する場合には、径方向に延びる溝６３は、ワッシャ６０の周囲の油受部６５相互間の中間位置に限らず、何れかの方向に偏ったり、油受部６５相互間に複数設けても良い。
したがって、特に、径方向に延びる溝６３までは、潤滑油を軸方向の端面、即ち、スラスト面６４を冷却及び潤滑させ、そして他の機構部分に対しても潤滑油を供給することができる。しかし、積極的に潤滑油をクラッチ３０側に供給する場合には、実施の形態６のように構成するとよい。
【００７３】
環状のワッシャ６０の径方向に延びる溝６３は、油受部６５から案内路６６を形成し、それに連続して形成している。ここで、ワッシャ６０は、油受部６５に対応して形成した径方向に延びる溝６３は、その段差６８を超えることのない潤滑油であっても、直接、クラッチ３０等の他の機構部分に対して潤滑油を供給することができる。また、段差６８を超えた潤滑油は、その潤滑油を軸方向の端面であるスラスト面６４に導くことができる。
即ち、油受部６５で受けた潤滑油は、直接、径方向に延びる溝６３から遠心力により、クラッチ３０等の他の機構部分に対しても潤滑油を供給することができ、同時に、段差６８を超えた潤滑油によってスラスト面６４側にも潤滑油を流すことができる。
したがって、このときには、スラスト面６４で使用する潤滑油よりも早期に、かつ、大量の潤滑油をクラッチ３０等の他の機構部分で使用する場合に好適となる。
また、環状のワッシャ６０の油受部６５は、クラッチハブ３３の端部３３ａに入力軸１の径方向の切り欠きを形成し、そこに係合させることによって、環状のワッシャ６０の回転止めとすることができる。
【００７４】
以上のように、本実施の形態５，６の自動変速機の潤滑油供給装置は、自動変速機の内部に配設され、自動変速機における入力軸１の軸長方向の移動を規制してなる略円環状のワッシャ６０を有し、略円環状のワッシャ６０に対して潤滑油を供給する自動変速機の潤滑油供給装置において、略円環状のワッシャ６０には、自動変速機の入力軸１の軸長方向の直角方向である径方向に遠心力で飛ばされる潤滑油を受ける油受部６５と、油受部６５で受け取った潤滑油を略円環状のワッシャ６０の軸方向端面のスラスト面６４に導く案内路６６とを具備するものである。
【００７５】
したがって、自動変速機における入力軸１の軸方向の移動を規制する際、その接触面には油受部６５で受け案内路６６を介した潤滑油を略円環状のワッシャ６０の冷却と潤滑に使用でき、しかも、キャリヤカバー４１側の周囲に重複して油受部６５を配設できるから、前記潤滑油を受ける油受部として特別のスペースを設定する必要がなくなり、ピニオンシャフト４の径方向に延びたキャリヤカバー４１の両側に壁部４１ａとその間の軸方向に延びた基部４１ｂによって油受部を形成した場合に比較して、入力軸１の軸方向にその幅を狭くすることができ、自動変速機全体をコンパクト化できる。
また、油受部６５は入力軸１の軸方向の内周側から潤滑油を供給するものであり、油受部６５の潤滑油を、例えば、クラッチ３０側等の他の機構側に供給でき、自動変速機をコンパクトに構成した場合であっても、クラッチ３０等の他の機構部分に対して十分な潤滑油を確保することができ、任意に潤滑油を決定できる。
【００７６】
また、本実施の形態５，６の自動変速機の潤滑油供給装置は、自動変速機の内部に配設したクラッチプレート３１及びクラッチディスク３２を有するクラッチ３０に対して潤滑油を供給する自動変速機の潤滑油供給装置において、自動変速機の入力軸１の軸方向に配設したプラネタリギヤのピニオンシャフト４の両端を取付けるキャリヤ３及び略環状のキャリヤカバー４１と、キャリヤカバー４１の入力軸１の径方向に形成した潤滑油を受ける油受部６５及び油受部６５で受け取った潤滑油を前記軸方向の端面のスラスト面６４に導く案内路６６を有し、自動変速機における入力軸１の軸方向の移動を規制する略円環状のワッシャ６０を具備し、入力軸１の周囲に配設したクラッチドラム２２の潤滑油孔２３から供給される潤滑油を、キャンセルプレート２５の潤滑油溝２５ｂから油受部６５に対して、その途中の介在物を介すことなく直接供給するものである。
【００７７】
したがって、自動変速機における入力軸１の軸方向の移動を規制し、その際、接触面には潤滑油を受けて略円環状のワッシャ６０の冷却と潤滑に使用し、かつ、入力軸１の周囲に配設したクラッチドラム２２の潤滑油孔２３から供給される潤滑油を、キャンセルプレート２５の潤滑油溝２５ｂから油受部６５に対して、その途中の介在物を介すことなく供給されるものである。
故に、自動変速機における入力軸１の軸方向の移動を規制する際、そのスラスト面６４の接触面には油受部６５で受け案内路６６を介した潤滑油を略円環状のワッシャ６０の冷却と潤滑に使用でき、しかも、キャリヤカバー４１側の周囲に重複して油受部６５を配設できるから、潤滑油を受ける油受部６５として特別のスペースを設定する必要がなくなり、ピニオンシャフト４の径方向に延びたキャリヤカバー４１の両側に壁部４１ａとその間の軸方向に延びた基部４１ｂによって油受部６５を形成した場合に比較して、入力軸１の軸方向にその幅を狭くすることができ、自動変速機全体をコンパクト化できる。
【００７８】
また、油受部６５はキャリヤカバー４１の径方向内周側から潤滑油を供給するものであり、油受部６５の潤滑油を、クラッチ３０等の他の機構側に供給でき、自動変速機をコンパクトに構成した場合であっても、クラッチ３０ヘの十分な潤滑油を確保することができる。そして、クラッチハブ３３の内周面には、潤滑油をクラッチ３０方向に供給する案内路６６を設けたものでは、潤滑油がプラネタリギヤのピニオンシャフト４側及び案内路６６からクラッチ３０側に流れ、クラッチ３０等の他の機構に潤滑油を供給できる。また、案内路６６の形状によって潤滑油の供給特性が設定できる。
更に、入力軸１の周囲に配設したクラッチドラム２２の潤滑油孔２３から供給される潤滑油を、前記キャンセルプレート２５の潤滑油溝２５ｂから油受部６５に対して、その途中の介在物を介すことなく供給するものであり、途中の介在物のないこととは、目詰まりを発生する等の部品の存在がないことから、安定した潤滑油の供給が可能であり、また、介在物による潤滑油の漏れがない。
【００７９】
そして、略円環状のワッシャ６０には、前記径方向に延びる溝６３を複数形成してなるものであるから、前記クラッチハブ３３の内周面には、潤滑油をクラッチ３０方向に供給する案内路６６によって、潤滑油が径方向に延びる複数の溝６３からクラッチ３０側に流れ、クラッチ３０側の潤滑油を任意に決定できる。また、油受部６５及び案内路６６形状によって潤滑油の供給特性が設定できる。
【００８０】
更に、略円環状のワッシャ６０の軸方向の端面であるスラスト面６４に導く案内路６６には、径方向に延びる面に段差６８を設け、当該段差３８をオーバーフローした潤滑油のみが、略円環状のワッシャ６０のスラスト面６４に導かれるものであるから、潤滑油が径方向に延びる複数の溝６３からクラッチ３０側に流れ、任意にクラッチ側の潤滑油を決定できる。また、油受部６５及び案内路６６形状によって潤滑油の供給特性が設定できる。
【００８１】
更にまた、略円環状のワッシャ６０の油受部６５は、油受部６５の反対側でクラッチ３０のクラッチハブ３３と係合するものであるから、組み立てを簡単化できる。
また、略円環状のワッシャ６０は、その油受部６５と径方向に延びる溝６３は、略円環状のワッシャ６０の周囲の油受部６５の反対側の位置に形成したものであるから、略円環状のワッシャ６０は、略円環状のワッシャ６０の取付け安定性及び潤滑油の流れがよくなり、また、油受部６５の反対側の位置に形成した溝６３は、直接、他の機構部分に対しても潤滑油を供給すると共に、略円環状のワッシャ６０の軸方向端面に対する潤滑油を導くことができる。即ち、径方向に延びる溝６３によって他の機構部分に対する潤滑油の供給を優先し、次いで、略円環状のワッシャ６０のスラスト面６４に対する潤滑油を供給することができる。
【００８２】
そして、略円環状のワッシャ６０の油受部６５と径方向に延びる溝６３は、略円環状のワッシャ６０周囲の油受部６５の相互間の位置に形成したものであるから、略円環状のワッシャ６０は、環状とすると略円環状のワッシャ６０の取付け安定性及び潤滑油の流れがよくなり、また、油受部６５相互間の反対側の位置に形成した溝６３は、直接、潤滑油を軸方向の端面のスラスト面６４に導き、そして、他の機構部分に対しても潤滑油を供給することができる。即ち、略円環状のワッシャ６０のスラスト面６４に対する潤滑油の供給を優先とすることができる。
【００８３】
なお、本発明を実施する場合には、上記実施の形態の図９の断面図に示すように、実施の形態１乃至実施の形態６のうち、重複部分を省いた実施とすることができる。
【図面の簡単な説明】
【００８４】
【図１】図１は本発明の実施の形態１にかかる自動変速機の潤滑油供給装置を示す要部断面図である。
【図２】図２は本発明の実施の形態１にかかる自動変速機の潤滑油供給装置を示す要部断面における潤滑油の流れを示す説明図である。
【図３】図３は本発明の実施の形態１にかかる自動変速機の潤滑油供給装置を示す要部の側面図である。
【図４】図４は本発明の実施の形態１にかかる自動変速機の潤滑油供給装置を示す要部の断面図で、図３の切断線Ａ−Ａによる断面に相当するものである。
【図５】図５は本発明の実施の形態１にかかる自動変速機の潤滑油供給装置を示す要部の樹脂ワッシャ付きの側面図である。
【図６】図６は本発明の実施の形態２にかかる自動変速機の潤滑油供給装置を示す要部の断面図である。
【図７】図７は本発明の実施の形態３にかかる自動変速機の潤滑油供給装置を示す要部の断面図である。
【図８】図８は本発明の実施の形態４にかかる自動変速機の潤滑油供給装置を示す要部の断面図である。
【図９】図９は本発明の実施の形態５にかかる自動変速機の潤滑油供給装置を示す要部断面図である。
【図１０】図１０は本発明の実施の形態５にかかる自動変速機の潤滑油供給装置で使用するワッシャの正面図（ａ）及び縦断面図（ｂ）、要部拡大斜視図（ｃ）を示すものである。
【図１１】図１１は本発明の実施の形態６にかかる自動変速機の潤滑油供給装置で使用するワッシャの正面図（ａ）及び要部拡大斜視図（ｂ）を示すものである。
【符号の説明】
【００８５】
１   入力軸
２   潤滑油孔
３   キャリヤ
４   ピニオンシャフト
５   ピニオン
２５   キャンセルプレート
２６   ピストン部材
２７   リターンスプリング
３０   クラッチ
３３   クラッチハブ
３３ａ   端部
４０   油受部
４１   キャリヤカバー
４１ａ   キャリヤカバーの壁部
４１ｂ   キャリヤカバーの基部
５０，５０Ａ，５０Ｂ，５０Ｃ   切り欠き
４５，６０   ワッシャ
６１   スラスト部
６３   径方向に延びる溝
６４   スラスト面                                                                               
【図１】
0005167808.tif 000002
【図２】
0005167808.tif 000003
【図３】
0005167808.tif 000004
【図４】
0005167808.tif 000005
【図５】
0005167808.tif 000006
【図６】
0005167808.tif 000007
【図７】
0005167808.tif 000008
【図８】
0005167808.tif 000009
【図９】
0005167808.tif 000010
【図１０】
0005167808.tif 000011
【図１１】
0005167808.tif 000012